(57)【要約】【課題】端末の画面を共有する技術であって、画面情報を共有する処理を行なうための専用のサーバを用意することなく、また、各端末に画面変更の際の処理を分散させることができ、特定のサーバに各端末の保持するファイルを送信しなくても全てのファイルの共有をすることができ、そして、ネットワークを構成する各端末上で画面変更の処理をさせるアプリケーションを動作させていなくとも画面共有ができる機能を備えた画面情報送受信システムを提供する。【解決手段】画面情報を受信する画面情報送受信装置１からの共有ファイル情報の選択に基づいて、画面情報の配信側の画面情報送受信装置１が、その共有ファイルが実行された際に表示部に表示された画面情報をネットワーク上に配信する。また画面情報送受信装置１は入力情報を受付けて、当該入力情報により処理された共有ファイル情報の内容を示す画面情報をネットワーク上に配信する。【選択図】  図１
2004213533.tif 000002
【特許請求の範囲】
【請求項１】
ネットワークに接続された端末より共有ファイル情報を受信する共有ファイル情報受信手段と、
前記共有ファイル情報を表示部に表示する共有ファイル情報表示手段と、
前記表示された前記共有ファイル情報のうちのいずれかが選択された場合に当該選択された共有ファイル情報を送信した前記端末に当該選択された共有ファイル情報を示す選択情報を送信する選択情報送信手段と、
前記選択情報の送信に応じて前記端末より前記選択された共有ファイル情報の実行画面の情報を受信する実行画面情報受信手段と、
前記実行画面を表示部に表示する実行画面情報表示手段と、
を備えることを特徴とする画面受信装置。
【請求項２】
ユーザから前記共有ファイル情報に対する処理指示を示す入力情報を受付ける入力情報受付手段と、
前記入力手段で受付けた前記入力情報を前記端末へ送信する入力情報送信手段と、
を備えることを特徴とする請求項１に記載の画面受信装置。
【請求項３】
ネットワークに接続された端末より、選択された共有ファイル情報に対する処理指示を示す入力情報を受信する入力情報受信手段と、
前記入力情報に基づいて前記共有ファイル情報に対する処理を行なう共有ファイル処理手段と、
処理後の前記共有ファイル情報を表示部に表示した実行画面の情報を前記端末へ送信する実行画面情報送信手段と、
を備えることを特徴とする画面配信装置。
【請求項４】
画面受信装置と画面配信装置とで構成される画面情報送受信システムであって、
前記画面受信装置が、
ネットワークに接続された画面配信装置より共有ファイル情報を受信する共有ファイル情報受信手段と、
前記共有ファイル情報を表示部に表示する共有ファイル情報表示手段と、
前記表示された前記共有ファイル情報のうちのいずれかが選択された場合に当該選択された共有ファイル情報を送信した前記画面配信装置に当該選択された共有ファイル情報を示す選択情報を送信する選択情報送信手段と、
前記選択情報の送信に応じて前記画面配信装置より前記選択された共有ファイル情報の実行画面の情報を受信する実行画面情報受信手段と、
前記実行画面を表示部に表示する実行画面情報表示手段と、
ユーザから前記共有ファイル情報に対する処理指示を示す入力情報を受付ける入力情報受付手段と、
前記入力手段で受付けた前記入力情報を前記画面配信装置へ送信する入力情報送信手段とを備え、
前記画面配信装置が、
ネットワークに接続された前記画面受信装置より、選択された共有ファイル情報に対する処理指示を示す入力情報を受信する入力情報受信手段と、
前記入力情報に基づいて前記共有ファイル情報に対する処理を行なう共有ファイル処理手段と、
処理後の前記共有ファイル情報を表示部に表示した実行画面の情報を前記画面受信装置へ送信する実行画面情報送信手段とを備える
ことを特徴とする画面情報送受信システム。
【請求項５】
ネットワークに接続された端末より共有ファイル情報を受信する共有ファイル情報受信過程と、
前記共有ファイル情報を表示部に表示する共有ファイル情報表示過程と、
前記表示された前記共有ファイル情報のうちのいずれかが選択された場合に当該選択された共有ファイル情報を送信した前記端末に当該選択された共有ファイル情報を示す選択情報を送信する選択情報送信過程と、
前記選択情報の送信に応じて前記端末より前記選択された共有ファイル情報の実行画面の情報を受信する実行画面情報受信過程と、
前記実行画面を表示部に表示する実行画面情報表示過程と、
を備えることを特徴とする画面受信方法。
【請求項６】
ネットワークに接続された端末より、選択された共有ファイル情報に対する処理指示を示す入力情報を受信する入力情報受信過程と、
前記入力情報に基づいて前記共有ファイル情報に対する処理を行なう共有ファイル処理過程と、
処理後の前記共有ファイル情報を表示部に表示した実行画面の情報を前記端末へ送信する実行画面情報送信過程と、
を備えることを特徴とする画面配信方法。
【請求項７】
画面受信装置のコンピュータに実行させるプログラムであって、
ネットワークに接続された端末より共有ファイル情報を受信する共有ファイル情報受信過程と、
前記共有ファイル情報を表示部に表示する共有ファイル情報表示過程と、
前記表示された前記共有ファイル情報のうちのいずれかが選択された場合に当該選択された共有ファイル情報を送信した前記端末に当該選択された共有ファイル情報を示す選択情報を送信する選択情報送信過程と、
前記選択情報の送信に応じて前記端末より前記選択された共有ファイル情報の実行画面の情報を受信する実行画面情報受信過程と、
前記実行画面を表示部に表示する実行画面情報表示過程と、
の処理をコンピュータに実行させるプログラム。
【請求項８】
画面配信装置のコンピュータに実行させるプログラムであって、
ネットワークに接続された端末より、選択された共有ファイル情報に対する処理指示を示す入力情報を受信する入力情報受信過程と、
前記入力情報に基づいて前記共有ファイル情報に対する処理を行なう共有ファイル処理過程と、
処理後の前記共有ファイル情報を表示部に表示した実行画面の情報を前記端末へ送信する実行画面情報送信過程と、
の処理をコンピュータに実行させるプログラム。
【発明の詳細な説明】
【０００１】
【発明の属する技術分野】
この発明は、コンピュータシステムに係り、特に、画面受信装置、画面配信装置、画面情報送受信システム、画面受信方法、画面配信方法並びにそのプログラムに関するものである。
【０００２】
【従来の技術】
従来、会議などの共同作業において、当該共同作業に出席する各出席者がＰＣなどの端末を持ち込んで作業を行なう場合、作業効率を上げるために各出席者の端末の画面を共有する技術が存在する。ここで、画面を配信する会議サーバがネットワーク上に存在し、各出席者が当該会議サーバにＰＣを接続して、会議サーバが画面の配信処理や画面の更新処理を行なう技術が存在する（例えば、特許文献１参照。）。または、ネットワークに接続された各端末のうち、特定端末が他の端末から画面変更の指示となる操作指示の情報を受信し、当該特定端末がネットワークに接続されている他の全ての端末に操作指示の情報を送信して、各端末上で当該操作指示の情報に対応する処理により画面を更新する技術が存在する（例えば、特許文献２参照）。
【０００３】
【特許文献１】
特開平３−５８６５８号公報
【特許文献２】
特開平７−２５４９１１号公報
【０００４】
【発明が解決しようとする課題】
しかしながら、上述の会議サーバによりネットワークに接続された各端末の画面情報の共有のための処理を行なう方法では、ネットワーク上に必ず会議サーバが設置されていなければならない。また、会議サーバに画面情報を共有する処理の負荷が一手にかかってしまう。さらに、各端末が別々に異なるファイルを管理し、当該各ファイルの内容を表示した情報の全てを各端末の画面上で共有しようとする場合には、会議サーバのような画面を共有する為の管理をするサーバに、全てのファイルの情報を転送しなければならない。
また、特定端末が操作指示の情報をネットワーク上の全ての他の端末に送信して、ネットワーク上の各端末が操作指示の情報を用いて画面を更新する技術では、ネットワーク上の各端末がそれぞれ、操作指示の情報を解釈しまた画面を変更処理するためのアプリケーションなどの処理手段を動作させている必要がある。
【０００５】
そこでこの発明は、ネットワークに接続された端末の画面情報を共有する処理を行なうための専用のサーバを用意することなく、また、各端末に画面変更の際の処理を分散させることができ、特定のサーバに各端末の保持するファイルを送信しなくても、ネットワーク上の複数の端末でファイル共有をすることができ、そして、ネットワークを構成する各端末上で画面変更の処理をさせるアプリケーションを動作させていなくとも画面共有ができる機能を備えた、画面受信装置、画面配信装置、画面情報送受信システム、画面受信方法、画面配信方法並びにそのプログラムを提供することを目的としている。
【０００６】
【課題を解決するための手段】
本発明は、上述の課題を解決すべくなされたもので、ネットワークに接続された端末より共有ファイル情報を受信する共有ファイル情報受信手段と、前記共有ファイル情報を表示部に表示する共有ファイル情報表示手段と、前記表示された前記共有ファイル情報のうちのいずれかが選択された場合に当該選択された共有ファイル情報を送信した前記端末に当該選択された共有ファイル情報を示す選択情報を送信する選択情報送信手段と、前記選択情報の送信に応じて前記端末より前記選択された共有ファイル情報の実行画面の情報を受信する実行画面情報受信手段と、前記実行画面を表示部に表示する実行画面情報表示手段とを備えることを特徴とする画面受信装置である。
【０００７】
上述の構成によれば、共有ファイル情報受信手段がネットワークに接続された端末より共有ファイル情報を受信し、共有ファイル情報表示手段が共有ファイル情報を表示部に表示する。そして、選択情報送信手段が表示された共有ファイル情報のうちのいずれかが選択された場合に当該選択された共有ファイル情報を送信した端末に当該選択された共有ファイル情報を示す選択情報を送信し、実行画面情報受信手段が選択情報の送信に応じて端末より選択された共有ファイル情報の実行画面の情報を受信する。また、実行画面情報表示手段が実行画面を表示部に表示する。
これにより、他の端末が保持している共有ファイル情報の内容を表示した実行画面を受信することで、当該他の端末が保持している共有ファイル情報を処理するアプリケーションソフトがなくても表示部に共有ファイル情報の内容を表示させることができる。また、ネットワーク上に接続された端末から共有ファイル情報そのものの送信を受けなくても、実行画面により当該共有ファイル情報の内容を確認することができる。
【０００８】
また、本発明は、上述の画面受信装置において、ユーザから前記共有ファイル情報に対する処理指示を示す入力情報を受付ける入力情報受付手段と、前記入力手段で受付けた前記入力情報を前記端末へ送信する入力情報送信手段とを備えることを特徴とする。
【０００９】
上述の構成によれば、画面受信装置の入力情報受付手段がユーザから共有ファイル情報に対する処理指示を示す入力情報を受付け、入力情報送信手段が入力手段で受付けた入力情報を端末へ送信する。
これにより、共有ファイル情報を保持する端末へ入力情報を送信すれば、当該入力情報に基づいた共有ファイル情報への処理が当該端末で行なわれることにより、処理後の実行画面を受信することができる。
【００１０】
また、本発明は、ネットワークに接続された端末より、選択された共有ファイル情報に対する処理指示を示す入力情報を受信する入力情報受信手段と、前記入力情報に基づいて前記共有ファイル情報に対する処理を行なう共有ファイル処理手段と、処理後の前記共有ファイル情報を表示部に表示した実行画面の情報を前記端末へ送信する実行画面情報送信手段とを備えることを特徴とする画面配信装置である。
【００１１】
上述の構成によれば、画面配信装置において、入力情報受信手段がネットワークに接続された端末より、選択された共有ファイル情報に対する処理指示を示す入力情報を受信し、共有ファイル処理手段が入力情報に基づいて共有ファイル情報に対する処理を行ない、実行画面情報送信手段が処理後の共有ファイル情報を表示部に表示した実行画面の情報を前記端末へ送信する。
これにより、ネットワークに接続された端末上に画面配信装置が保持する共有ファイル情報を送信しなくても、当該端末上で、共有ファイル情報の内容を確認できると共に、端末が指示した処理指示により変更された共有ファイル情報の内容を、実行画面により当該端末上で確認することができる。
【００１２】
また、本発明は、画面受信装置と画面配信装置とで構成される画面情報送受信システムであって、前記画面受信装置が、ネットワークに接続された画面配信装置より共有ファイル情報を受信する共有ファイル情報受信手段と、前記共有ファイル情報を表示部に表示する共有ファイル情報表示手段と、前記表示された前記共有ファイル情報のうちのいずれかが選択された場合に当該選択された共有ファイル情報を送信した前記画面配信装置に当該選択された共有ファイル情報を示す選択情報を送信する選択情報送信手段と、前記選択情報の送信に応じて前記画面配信装置より前記選択された共有ファイル情報の実行画面の情報を受信する実行画面情報受信手段と、前記実行画面を表示部に表示する実行画面情報表示手段と、ユーザから前記共有ファイル情報に対する処理指示を示す入力情報を受付ける入力情報受付手段と、前記入力手段で受付けた前記入力情報を前記画面配信装置へ送信する入力情報送信手段とを備え、前記画面配信装置が、ネットワークに接続された前記画面受信装置より、選択された共有ファイル情報に対する処理指示を示す入力情報を受信する入力情報受信手段と、前記入力情報に基づいて前記共有ファイル情報に対する処理を行なう共有ファイル処理手段と、処理後の前記共有ファイル情報を表示部に表示した実行画面の情報を前記画面受信装置へ送信する実行画面情報送信手段とを備えることを特徴とする画面情報送受信システムである。
【００１３】
上述の構成によれば、前記画面受信装置において、共有ファイル情報受信手段がネットワークに接続された画面配信装置より共有ファイル情報を受信し、共有ファイル情報表示手段が共有ファイル情報を表示部に表示する。そして、選択情報送信手段が表示された共有ファイル情報のうちのいずれかが選択された場合に当該選択された共有ファイル情報を送信した画面配信装置に当該選択された共有ファイル情報を示す選択情報を送信し、実行画面情報受信手段が選択情報の送信に応じて画面配信装置より選択された共有ファイル情報の実行画面の情報を受信し、実行画面情報表示手段が実行画面を表示部に表示する。また、入力情報受付手段がユーザから共有ファイル情報に対する処理指示を示す入力情報を受付け、入力情報送信手段が入力手段で受付けた入力情報を画面配信装置へ送信する。また、画面配信装置において、入力情報受信手段がネットワークに接続された画面受信装置より、選択された共有ファイル情報に対する処理指示を示す入力情報を受信し、共有ファイル処理手段が入力情報に基づいて共有ファイル情報に対する処理を行なう。また実行画面情報送信手段が処理後の共有ファイル情報を表示部に表示した実行画面の情報を画面受信装置へ送信する。
これにより、画面配信装置と画面受信装置の機能がネットワーック上の各端末に備えられていれば、ネットワークに接続された端末の画面情報を共有する処理を行なうための専用のサーバを用意することなく、ネットワーク上の各端末が保持する共有ファイルの情報を共有することができる。また、各端末に画面変更の際の処理を分散させることができ、特定のサーバに各端末の保持するファイルを送信しなくても、ネットワーク上の複数の端末でファイル共有をすることができ、そして、ネットワークを構成する各端末上で画面変更の処理をさせるアプリケーションを動作させていなくとも画面共有ができる。
【００１４】
また、本発明は、ネットワークに接続された端末より共有ファイル情報を受信する共有ファイル情報受信過程と、前記共有ファイル情報を表示部に表示する共有ファイル情報表示過程と、前記表示された前記共有ファイル情報のうちのいずれかが選択された場合に当該選択された共有ファイル情報を送信した前記端末に当該選択された共有ファイル情報を示す選択情報を送信する選択情報送信過程と、前記選択情報の送信に応じて前記端末より前記選択された共有ファイル情報の実行画面の情報を受信する実行画面情報受信過程と、前記実行画面を表示部に表示する実行画面情報表示過程とを備えることを特徴とする画面受信方法である。
【００１５】
また、本発明は、上述の画面受信方法において、ユーザから前記共有ファイル情報に対する処理指示を示す入力情報を受付ける入力情報受付過程と、前記入力過程において受付けた前記入力情報を前記端末へ送信する入力情報送信過程とを備えることを特徴とする。
【００１６】
また、本発明は、ネットワークに接続された端末より、選択された共有ファイル情報に対する処理指示を示す入力情報を受信する入力情報受信過程と、前記入力情報に基づいて前記共有ファイル情報に対する処理を行なう共有ファイル処理過程と、処理後の前記共有ファイル情報を表示部に表示した実行画面の情報を前記端末へ送信する実行画面情報送信過程とを備えることを特徴とする画面配信方法である。
【００１７】
また、本発明は、画面受信装置のコンピュータに実行させるプログラムであって、ネットワークに接続された端末より共有ファイル情報を受信する共有ファイル情報受信過程と、前記共有ファイル情報を表示部に表示する共有ファイル情報表示過程と、前記表示された前記共有ファイル情報のうちのいずれかが選択された場合に当該選択された共有ファイル情報を送信した前記端末に当該選択された共有ファイル情報を示す選択情報を送信する選択情報送信過程と、前記選択情報の送信に応じて前記端末より前記選択された共有ファイル情報の実行画面の情報を受信する実行画面情報受信過程と、前記実行画面を表示部に表示する実行画面情報表示過程との処理をコンピュータに実行させるプログラムである。
【００１８】
また、本発明は、画面配信装置のコンピュータに実行させるプログラムであって、ネットワークに接続された端末より、選択された共有ファイル情報に対する処理指示を示す入力情報を受信する入力情報受信過程と、前記入力情報に基づいて前記共有ファイル情報に対する処理を行なう共有ファイル処理過程と、処理後の前記共有ファイル情報を表示部に表示した実行画面の情報を前記端末へ送信する実行画面情報送信過程との処理をコンピュータに実行させるプログラムである。
【００１９】
【発明の実施の形態】
以下、本発明の一実施形態による画面情報送受信装置（画面受信装置、画面配信装置）を図面を参照して説明する。
【００２０】
図１は、この発明の一実施形態による画面情報送受信装置の構成を示す概略ブロック図である。この図において、符号１は画面情報送受信装置である。そして画面情報送受信装置１において、符号１１は各画面情報送受信装置１で記憶する共有ファイルの情報を受信する共有ファイル情報受信部である。また１２は他の画面情報送受信装置１から画面情報を受信する画面情報受信部である。また１３は他の画面情報送受信装置１から共有ファイルの内容を操作（例えば、編集など）するための入力情報を受信する入力情報受信部である。また１４はユーザが選択した共有ファイルの識別情報を含む選択情報を送信する選択情報送受信部である。また１５はユーザの操作によりマウスやキーボードなどの入力部から受付けた入力情報を送信する入力情報送信部である。また１６はＣＲＴ（Ｃａｔｈｏｄｅ  Ｒａｙ  Ｔｕｂｅ）ディスプレイや液晶ディスプレイなどの表示部に表示された共有ファイルの画面情報を他の画面情報送受信装置１へ送信する画面情報送信部である。
【００２１】
また１７は他の画面情報送受信装置１が記憶する共有ファイルを表示部に表示する共有ファイル情報表示部である。また１８は他の画面情報送受信装置１から受信した画面情報を表示部に表示する画面情報表示部である。また１９はユーザの操作によりマウスやキーボードなどの入力部から入力情報を受付ける入力情報受付部である。また２０はネットワークを介して他の画面情報送受信装置１と共有する共有ファイル情報に対して処理を行なう共有ファイル処理部である。また２１は共有ファイルを記憶する記憶部である。
【００２２】
図２は、複数の画面情報送受信装置１により構成された画面情報送受信システムの概略を示す図である。この図が示すように、ネットワークを介して複数の画面情報送受信装置１が接続されることにより画面情報送受信システムが構成される。またこの図は、ネットワークに接続された複数の画面情報送受信装置１がそれぞれ記憶部２１に共有ファイルを記憶している様子を示している。
【００２３】
図３は各画面情報送受信装置１で記憶する共有ファイルを、ネットワークに接続された全ての画面情報送受信装置１で共有している際の状況を示す図である。このように、各画面情報送受信装置１の表示部においては、ネットワークに接続された画面情報送受信装置１毎の共有ファイルの一覧を表示できる。
そして、例えば、特定の画面情報送受信装置１において、ある共有ファイルが選択及び実行された場合には、当該特定の画面情報送受信装置１の表示部に選択された共有ファイルの内容が表示される。そしてその共有ファイルの内容を示す画面情報（実行画面）が、ネットワークに接続されている全ての画面情報送受信装置１に送信される。詳細は後述するが、これにより、ネットワークに接続されている全ての画面情報送受信装置１上で、特定の画面情報送受信装置１の表示部に表示された共有ファイルの内容の画面情報を共有することができる。
【００２４】
また、画面情報を受信した側の画面情報送受信装置１を操作するユーザが、表示部に表示された画面情報の示す共有ファイルを変更などの操作をすることができる。この時、ユーザが共有ファイルの内容を操作するための入力情報をマウスやキーボードなどの入力部から入力する。そして、当該入力情報が、画面情報を受信した側の画面情報送受信装置１から、共有ファイルを記憶部２１に記憶している画面情報送受信装置１へ送信され、当該共有ファイを記憶している画面情報送受信装置１において、入力情報に基づいた共有ファイルの操作処理が行なわれる。そして、詳細は後述するが、この操作処理により共有ファイルが変更され、変更後の共有ファイルの画面情報が、共有ファイを記憶している画面情報送受信装置１から、ネットワークに接続された画面情報を受信する側の画面情報送受信装置１へ配信される。
【００２５】
尚、画面情報送受信装置１は共有ファイルの画面情報を配信する配信側としての処理と、画面情報の配信を受ける受信側としての処理の両方を行なう装置である。
また、各画面情報送受信装置１は共有ファイルの画面情報を共有するための専用アプリケーションを保持または実行する環境を備えている。そして当該専用アプリケーションの処理により共有ファイルの画面情報がネットワーク上の各画面情報送受信装置１に送信される。また共有ファイルは専用アプリケーションが管理して記憶部２１で記憶している。さらに、上述の共有ファイルは専用アプリケーションで実行されるプログラムを含むものであり、当該プログラムが専用アプリケーションで実行されることにより、画面に実行された内容が表示される。
【００２６】
次に、画面情報送受信システムにおける画面情報送受信装置１の処理の詳細を図４及び図５を参照して説明する。
【００２７】
図４は選択された共有ファイルの画面情報がネットワーク上で配信される際の処理を示すチャート図である。
ここで、画面情報を配信する側の画面情報送受信装置１を画面情報送受信装置１ａ、画面情報を受信する側の画面情報送受信装置１を画面情報送受信装置１ｂと呼ぶこととする。また、画面情報送受信装置１ａを操作するユーザをユーザＡ、画面情報送受信装置１ｂを操作するユーザをユーザＢと呼ぶこととする。
まず、各画面情報送受信装置１ｂにおいては、ネットワークに接続されている他の画面情報送受信装置１ｂや画面情報送受信装置１ａが保持する共有ファイル一覧を表示部に表示している。これは、各画面情報送受信装置１ａ、１ｂの共有ファイル処理部２０が記憶部２１に記憶している共有ファイルの情報を送信し、当該共有ファイル情報を各画面情報送受信装置１ａ、１ｂの共有ファイル情報受信部１１が受信して、受信した共有ファイル情報を共有ファイル情報表示部１７が一覧として表示することにより実現する。尚、各画面情報送受信装置１ａ、１ｂは共有している共有ファイル情報に対応する他の画面情報送受信装置１ａ、１ｂのＩＰ（Ｉｎｔｅｒｎｅｔ  Ｐｒｏｔｏｃｏｌ）アドレスを記憶部２１に記憶している。これにより、選択された共有ファイル情報を記憶する画面情報送受信装置１ａ、１ｂを特定することができる。
ここで、ユーザＢが画面情報送受信装置１ｂの表示部に表示されている共有ファイル一覧から画面情報送受信装置１ａが記憶する共有ファイルＡを選択する（ステップＳ１）。
【００２８】
すると、画面情報送受信装置１ｂの入力情報受付部１９が入力部から共有ファイルＡを選択した旨の情報を受付けて、その情報を共有ファイル処理部２０に送信する。すると画面情報送受信装置１ｂの共有ファイル処理部２０は共有ファイルＡの識別情報を含む選択情報と、画面情報送受信装置１ａのＩＰアドレスとを、選択情報送信部１４に転送し、選択情報送信部１４が当該共有ファイルＡの識別情報を含む選択情報を画面情報送受信装置１ａのＩＰアドレス宛てに送信する（ステップＳ２）。尚、共有ファイルＡの識別情報とは、例えば共有ファイルＡを識別する為の番号などである。
【００２９】
次に、画面情報送受信装置１ａが画面情報送受信装置１ｂから共有ファイルＡが選択された旨を示す選択情報を受信する（ステップＳ３）。そして画面情報送受信装置１ａの共有ファイル処理部２０は、ステップＳ３で受信した選択情報に含まれる共有ファイルＡの識別情報を読み取り、当該識別情報が示す共有ファイルＡを、専用アプリケーションを用いて実行する（ステップＳ４）。そして、ステップＳ４の処理の後、画面情報表示部１８が実行された共有ファイルＡの内容を表示部に表示する（ステップＳ５）。ここで、共有ファイルＡが文書作成ソフトウェアで作成された文書情報Ａである場合には、当該文書情報Ａが文章作成ソフトで実行されて文書内容が表示部に表示される。
【００３０】
次に、画面情報送受信装置１ａの画面情報送信部１６が、共有ファイルＡの実行後の内容が表示された表示部の画面情報を読み取り、当該画面情報をネットワークに接続された全ての画面情報送受信装置１ｂに配信する（ステップＳ６）。
画面情報送受信装置１ａから配信された画面情報は、画面情報送受信装置１ｂの画面情報受信部１２が受信する（ステップＳ７）。そして、画面情報送受信装置１ｂの画面情報表示部１８がステップＳ７で受信した画面情報を表示部に表示する（ステップＳ８）。
【００３１】
これにより、画面情報送受信装置１ａの配信した画面情報が、ネットワークに接続される全ての画面情報送受信装置１ｂの表示部に表示される。
尚、上述のステップＳ１〜ステップＳ８の処理により、画面情報送受信装置１ａが保持している共有ファイル情報の内容を表示した画面情報を画面情報送受信装置１ｂが受信することで、当該画面情報送受信装置１ａが保持している共有ファイル情報を処理するアプリケーションソフトが画面情報送受信装置１ｂに備えられていなくても表示部に共有ファイル情報の内容を表示させることができる。
また、画面情報送受信装置１ａから共有ファイルのデータの送信を受けなくても、画面情報送受信装置１ｂは受信した画面情報により当該共有ファイルの内容を表示部に表示することができる。
【００３２】
次に、画面情報送受信装置１ｂのユーザＢが表示部に表示された共有ファイルＡを操作する際の画面情報送受信装置１ａ及び画面情報送受信装置１ｂの処理について説明する。
【００３３】
図５は共有ファイルの操作が共有ファイルを記憶する画面情報送受信装置以外のユーザにより行なわれる際の処理を示す図である。
共有ファイルＡを記憶部２１に記憶しない画面情報送受信装置１ｂのユーザＢが表示部に表示された共有ファイルＡを操作（例えば編集など）する場合、まず、ユーザＢはマウスやキーボードなどの入力部より入力情報を入力すると、画面情報送受信装置１ｂの入力情報受付部１９が当該入力情報を受付ける（ステップＳ９）。ここで入力情報とは、例えば入力部がマウスであれば、右クリックボタンまたは左クリックボタンを指定されたことを示す信号などであり、またキーボードであれば、キー配列中の特定のキーが押されたことを示す信号である。
【００３４】
次に、画面情報送受信装置１ｂの入力情報受付部１９が共有ファイル処理部２０へ入力情報を転送する。すると、画面情報送受信装置１ｂの共有ファイル処理部２０は、入力情報受付部１９から転送を受けた入力情報と、表示部に表示されている共有ファイルＡの識別情報と画面情報送受信装置１ａのＩＰアドレスとを入力情報送信部１５に転送し、入力情報送信部１５が転送を受けた入力情報と共有ファイルＡの識別情報とを画面情報送受信装置１ａのＩＰアドレス宛てに送信する（ステップＳ１０）。
【００３５】
次に、画面情報送受信装置１ｂから送信された共有ファイルＡの識別情報と、当該共有ファイルを操作する為の入力情報とを、画面情報送受信装置１ａの入力情報受信部１３が受信する（ステップＳ１１）。また画面情報送受信装置１ａの入力情報受信部１３は当該受信した共有ファイルＡの識別情報と入力情報とを共有ファイル処理部２０へ転送する。そして、画面情報送受信装置１ａの共有ファイル処理部２０は転送を受けた共有ファイルＡの識別情報から、操作する共有ファイルＡを判断し、また入力情報に基づいて、専用アプリケーションを用いて共有ファイルＡの操作処理を行なう（ステップＳ１２）。そして、共有ファイル処理部２０による当該操作処理の結果、画面情報表示部１８が操作処理後の共有ファイルＡの内容を表示部に表示する（ステップＳ１３）。
次に、画面情報送受信装置１ａの画面情報送信部１６が、共有ファイルＡの操作処理後の内容が表示された表示部の画面情報を読み取り、当該画面情報をネットワークに接続された全ての画面情報送受信装置１ｂに配信する（ステップＳ１４）。
【００３６】
画面情報送受信装置１ａから配信された画面情報は、画面情報送受信装置１ｂの画面情報受信部１２が受信する（ステップＳ１５）。そして、画面情報送受信装置１ｂの画面情報受信部１２は、画面情報を画面情報表示部１８へ転送する。そして、画面情報表示部１８は表示部に共有ファイルＡの画面情報を表示する（ステップＳ１６）。
これにより、共有ファイルＡを記憶しない画面情報送受信装置１ｂから、共有ファイルを記憶する画面情報送受信装置１ａに入力情報を送信することにより、共有ファイルＡが操作処理されて内容が変更された画面情報を表示部に表示することができる。
【００３７】
また、画面情報を共有する処理を行なうための専用のサーバを用意することなく、ネットワーク上の各画面情報送受信装置１ａ、１ｂが保持する共有ファイルの情報を共有することができる。
また、各画面情報送受信装置１ａ、１ｂに画面変更の際の処理を分散させることができ、特定のサーバに各端末の保持するファイルを送信しなくても、ネットワーク上の複数の各画面情報送受信装置１ａ、１ｂでファイル共有をすることができ、そして、ネットワークを構成する各各画面情報送受信装置１ａ、１ｂ上で画面変更の処理をさせるアプリケーションを動作させていなくとも画面共有ができる
【００３８】
尚、上述の画面情報送受信装置は内部に、コンピュータシステムを有しており、各処理部は、専用のハードウェアにより実現されるものであってもよく、また、各処理部はメモリおよびＣＰＵ（中央演算装置）により構成される。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【図１】画面情報送受信装置の構成を示す概略ブロック図である。
【図２】画面情報送受信システムの概略を示す図である。
【図３】共有ファイルを共有する状況を示す図である。
【図４】画面情報の配信処理を示す図である。
【図５】入力情報による変更後の画面情報の配信処理を示す図である。
【符号の説明】
１  画面情報送受信装置、１１  共有ファイル情報受信部、１２  画面情報受信部、１３  入力情報受信部、１４  選択情報送信部、１５  入力情報送信部、１６  画面情報送信部、１７  共有ファイル情報表示部、１８  画面情報表示部、１９  入力情報受付部、２０  共有ファイル処理部、２１  記憶部
【図１】
2004213533.tif 000003
【図２】
2004213533.tif 000004
【図３】
2004213533.tif 000005
【図４】
2004213533.tif 000006
【図５】
2004213533.tif 000007